(57)【要約】      （修正有）【課題】歯科用表示装置において、被写体を角度調整自在な撮像部で拡大撮像しディスプレイに映写し、それを見ながら作業を行う歯科用表示装置を提供する。【解決手段】歯科用表示装置は、術者等の前に位置する液晶ディスプレイ１と、該液晶ディスプレイ１に角度調整自在に連結される撮像部２と、前記ディスプレイ１又は前記撮像部２に連結してなる、位置調整自在な支持腕部３とにより構成され、前記撮像部２は、歯及び義歯等の被写体１２を拡大撮像すべくＣＣＤカメラ１１により形成され、かつ、固定調整部８を備えた玉形自在継手で形成される角度調整部７が形成され、前面には単数及び複数個の照明用ＬＥＤと、紫外線フィルタが貼付されたＣＣＤカメラ１１とにより形成される。【選択図】図１
0003152427.tif 000002
【実用新案登録請求の範囲】
【請求項１】
歯科用の表示装置であって、術者等の前に位置するディスプレイと、該ディスプレイと角度調整自在に連結してなり歯及び義歯等の被写体を撮像する撮像部とにより構成されたことを特徴とする歯科用表示装置。
【請求項２】
前記歯科用表示装置は、前記ディスプレイと前記撮像部の双方又は一方に連結する位置調整自在な支持腕部が形成され、該支持腕部は作業台や床に固定する固定支持部と、該固定支持部に連結してなり前記ディスプレイと前記撮像部を位置調整自在にするアーム部と、該アーム部に連結してなり前記ディスプレイと前記撮像部の双方又は一方と連結するコネクト部とにより構成されている請求項１記載の歯科用表示装置。
【請求項３】
前記歯科用表示装置は、前記ディスプレイと前記撮像部の双方又は一方に角度調整部が形成され、該角度調整部が玉形自在継手で形成され、該玉形自在継手には、角度位置を固定する固定調整部が形成されている請求項１又は２記載の歯科用表示装置。
【請求項４】
前記歯科用表示装置は、前記撮像部の前面に紫外線フィルタが形成されている請求項１乃至３いずれか記載の歯科用表示装置。
【請求項５】
前記歯科用表示装置は、前記撮像部の前面に単数及び複数個の照明用ＬＥＤが形成されている請求項１乃至４いずれか記載の歯科用表示装置。
【請求項６】
前記歯科用表示装置は、術者等の前に位置する液晶ディスプレイと、該液晶ディスプレイに角度調整自在に連結される撮像部と、前記ディスプレイと前記撮像部の双方又は一方に連結してなる位置調整自在な支持腕部とにより構成され、該支持腕部は作業台や床に固定支持された状態で接する固定支持部と、該固定支持部に連結してなり前記ディスプレイと前記撮像部の位置調整自在にするアーム部と、該アーム部に連結してなり前記ディスプレイと前記撮像部の双方又は一方を連結するコネクト部とにより構成され、前記撮像部は、歯及び義歯等の被写体を拡大撮像すべくＣＣＤカメラにより形成され、かつ、固定調整部を備えた玉形自在継手で形成される角度調整部が形成され、前面には単数及び複数個の照明用ＬＥＤと、紫外線フィルタが貼付されたＣＣＤカメラとにより形成されたことを特徴とする請求項１乃至５いずれか記載の歯科用表示装置。
【考案の詳細な説明】
【技術分野】
【０００１】
本考案は、歯科用表示装置であって、歯や義歯を撮像部で拡大撮像し、これをディスプレイに映し出し、それを歯科医や歯科技工士等が見ながら歯の病変部の治療や技工作業を行う歯科用表示装置に関する。
【背景技術】
【０００２】
従来の歯科用表示装置は、例えば術者等が各々頭等に装着し、両眼の直前に拡大鏡等を設置するものが多く、例えば長時間の手術等においては、両眼の直前に拡大鏡を設置されており、かつ、歯という微小で細かな作業を要することも相俟って眼への負担も多く接眼鏡独特の疲労があり、また、明るさの確保という点からも難点があるという欠点を有していた。
【０００３】
そして、患者の歯の病変を削るような場合に、その歯屑が顔に跳ね返ることがあり、それを防ぐことが出来ないという欠点も有していた。
【０００４】
また、歯科業界においては、歯の治療を行う歯科医師の他にも、歯科医師を補助する者として歯科医療用の義歯、冠、充填物、矯正装置などを、歯科医師が患者の口腔に適合するように調整した作業模型上で、歯科医師の指示に従って技工作業（作製・修理・加工）する歯科技工士がいる。
【０００５】
この歯科技工士が、前記のような作業を行う場合には、歯科医と同様、長時間の作業により眼精疲労等を生じさせるという欠点があった。
【０００６】
また、歯科技工士の場合、前記のような作業を行う場合には、アーク溶接を行うことが多く、拡大鏡等の表示装置を必要とするが、両眼の直前に拡大鏡等を設置するものでは、アーク溶接時に作業者の顔に向かう火花及び屑の跳ね返りを防ぐことができないという欠点もあった。また、加えて、アーク溶接においてアーク光を遮光することができないという欠点もあった。
【０００７】
しかし、現在、ディスプレイと結合されたテレビカメラを使用して被写体を撮像し、これを離れた場所にあるディスプレイに映写し、それを見ながら作業を行うもの等が登場している。
【０００８】
特許文献１に記載の溶接アーク部監視装置は、アーク溶接時に溶接アーク部を撮像するために溶接トーチにテレビカメラを固定し、そのテレビカメラにテレビモニターが結合されたものが考案されている。
【先行技術文献】
【特許文献】
【０００９】
【特許文献１】実願昭６１−１２７８６７公報
【考案の概要】
【考案が解決しようとする課題】
【００１０】
特許文献１においては、溶接アーク部監視装置は、溶接アーク部を撮像するために溶接トーチにテレビカメラを固定し、そのテレビカメラにテレビモニターが結合されたものが考案されているが、溶接トーチ自体にテレビカメラが固定されているため、テレビカメラと被写体の距離が一定のままであって、被写体との位置調整ができない困難があるといえる。
【００１１】
そのため、術者等が例えば被写体をテレビモニターに映るものより近くで見たいような場合には、自らの体を移動して位置調整を行い、かつ、自分の眼で被写体を視認するほかないという困難が生じ、直接アーク溶接時のアーク光に眼を晒す状況を生じさせる虞があるといえる。
【００１２】
そして、テレビカメラとテレビモニターを結合する部分の距離が短いような場合には、被写体とそれを視認する術者等が接近することとなり、前述のような作業を行う場合に作業者の顔に火花及び屑が飛んでくる虞を否定できないといえる。
【００１３】
また、歯科業においては、歯という微小で細かな作業を要することもあり、そのものをより拡大して撮像する必要があるといえるが、単なるテレビカメラであり拡大できないものでは、例えば、歯科医や歯科技工士が作業を行うには不十分であるといえる。
【００１４】
そこで、本考案は、上述の課題を解決すべく創出されたもので、歯科用表示装置において、被写体を角度調整自在な撮像部で拡大撮像しディスプレイに映写し、それを見ながら作業を行う歯科用表示装置を目的としたものである。
【課題を解決するための手段】
【００１５】
歯科用の表示装置であって、術者等の前に位置するディスプレイ１と、ディスプレイ１と角度調整自在に連結してなり歯及び義歯等の被写体１２を撮像する撮像部２とにより構成されたことにある。
【００１６】
また、歯科用表示装置は、ディスプレイ１と前記撮像部２の双方又は一方に連結する位置調整自在な支持腕部３が形成され、該支持腕部３は作業台や床に固定する固定支持部４と、該固定支持部４に連結してなり前記ディスプレイ１と前記撮像部２の位置調整自在にするアーム部５と、該アーム部５に連結してなり前記ディスプレイ１と前記撮像部２の双方又は一方と連結するコネクト部６とにより構成されたことにある。
【００１７】
そして、歯科用表示装置は、ディスプレイ１と撮像部２の双方又は一方に角度調整部７が形成され、角度調整部７が玉形自在継手で形成され、玉形自在継手には、角度位置を固定する固定調整部８が形成されたことにある。
【００１８】
加えて、歯科用表示装置は、前記撮像部２の前面に紫外線フィルタ９が形成されたことにある。
【００１９】
そして、歯科用表示装置は、前記撮像部２の前面に単数及び複数個の照明用ＬＥＤ１０が形成されたことにある。
【００２０】
また、歯科用表示装置は、術者等の前に位置する液晶ディスプレイ１と、該液晶ディスプレイ１に角度調整自在に連結される撮像部２と、前記ディスプレイ１と前記撮像部２の双方又は一方に連結してなる位置調整自在な支持腕部３とにより構成され、該支持腕部３は作業台や床に固定する固定支持部４と、該固定支持部４に連結してなり前記ディスプレイ１と前記撮像部２の位置調整自在にするアーム部５と、該アーム部５に連結してなり前記ディスプレイ１と前記撮像部２の双方又は一方を連結するコネクト部６とにより構成され、前記撮像部２は、歯及び義歯等の被写体１２を拡大撮像すべくＣＣＤカメラ１１により形成され、かつ、固定調整部８を備えた玉形自在継手で形成される角度調整部７が形成され、前面には単数及び複数個の照明用ＬＥＤ１０と、紫外線フィルタ９が貼付されたＣＣＤカメラ１１とにより形成されたことにある。
【考案の効果】
【００２１】
請求項１の構成により、歯科用の表示装置であって、術者等の前に位置するディスプレイ１と、該ディスプレイ１と角度調整自在に連結してなり歯及び義歯等の被写体１２を撮像する撮像部２とにより構成したことにより、歯科医用においては、歯の病変部を拡大することを可能とし、治療のしやすさを創造することに成功し、歯科技工士用においては、アーク溶接において溶接箇所を拡大するとともに、アーク光を直接みることなく、かつ、明るい視野内で作業可能となって眼へのダメージをなくすことに成功した。
【００２２】
また、例えば、歯科医が歯の治療において病変部を有する歯を削るような場合に、作業者の顔に向かう火花及び歯屑の跳ね返りに対して、歯科技工士の作業時にも、アーク溶接時等において作業者の顔に向かう火花及び屑の跳ね返りに対してディスプレイ１が保護壁の役割を果たすことに成功した。
【００２３】
請求項２の構成によりディスプレイ１と前記撮像部２の双方又は一方に連結する位置調整自在な支持腕部３が形成され、該支持腕部３は作業台や床に固定する固定支持部４と、該固定支持部４に連結してなり前記ディスプレイ１と前記撮像部２の位置調整自在にするアーム部５と、該アーム部５に連結してなり前記ディスプレイ１と前記撮像部２の双方又は一方と連結するコネクト部６とにより構成されたことにより、角度調整だけでなく、ディスプレイ１と撮像部２の位置調整を自在にし、作業時に必要な場所での撮像を可能とする。
【００２４】
加えて、前記構成により例えば、被写体１２の移動を要せずに術者等の作業に都合のよい位置での拡大撮像及び作業を可能とする。
【００２５】
また、手から離れた位置で作業可能となり、例えば歯科医が病変部を有する歯を削るような場合には、歯屑の跳ね返りを受けることがない。
【００２６】
そして、例えば、歯科技工士の作業時におけるアーク溶接時等においても屑の跳ね返りがない。加えて、ディスプレイ１を見て作業を行えるため、アーク光を直接みることなく、かつ明るい視野内で作業可能となって眼へのダメージをなくすことにも成功した。
【００２７】
請求項３の構成により歯科用表示装置は、ディスプレイ１と撮像部２の双方又は一方に角度調整部７が形成され、角度調整部７が玉形自在継手で形成され、玉形自在継手には、角度位置を固定する固定調整部８が形成されたことにより、術者等が作業時に望む場所に撮像部２を角度調整することが可能となり、例えば奥歯等暗くて見えにくい場所の作業時には適切な位置での撮像を可能とする。そして、ブレなく安定した撮像を可能とする。
【００２８】
加えて、例えば、歯科医の治療時の場合には、ディスプレイ１を患者のほうへ向け、患者の歯を実際に自己で確認させることも可能とする。これは、例えば、治療の前に歯の治療位置を患者に実際に見せて把握させるいわゆるインフォームドコンセント等に役立てることを可能とする。
【００２９】
請求項４の構成により、撮像部２の前面に紫外線フィルタ９が形成されたことにより、例えば、歯科技工士が、アーク溶接時にアーク光を遮光し、チラつき防止効果があり眼へのダメージをなくすことに成功した。
【００３０】
また、例えば、歯科医が病変部を有する歯を削るような場合に、作業者の顔に向かう火花及び歯屑の跳ね返りに対して、歯科技工士の作業時にも、アーク溶接時等の作業者の顔に向かう火花及び屑の跳ね返りから撮像部のレンズを保護することに成功した。
【００３１】
請求項５の構成により、撮像部２の前面に単数及び複数個の照明用ＬＥＤ１０を形成したことにより、例えば、歯科医が歯の治療を行うような場合、かつ、歯科技工士が前述のような作業を行う場合に、明るい視野内で作業をすることを可能とする。
【００３２】
そして、複数個の照明用ＬＥＤ１０を形成した場合には、作業位置、作業内容や部屋の明るさ等に応じて、その全部及び一部のみを点灯させることが可能となり、作業において要求される状況に応じて照明用ＬＥＤ１０の照度を調整することに成功した。
【００３３】
請求項６の構成により、術者等の前に位置する液晶ディスプレイ１と、該液晶ディスプレイ１に角度調整自在に連結される撮像部２と、前記ディスプレイ１と前記撮像部２の双方又は一方に連結してなる位置調整自在な支持腕部３とにより構成され、該支持腕部３は作業台や床に固定する固定支持部４と、該固定支持部４に連結してなり前記ディスプレイ１と前記撮像部２の位置調整自在にするアーム部５と、該アーム部５に連結してなり前記ディスプレイ１と前記撮像部２の双方又は一方を連結するコネクト部６とにより構成され、前記撮像部２は、歯及び義歯等の被写体１２を拡大撮像すべくＣＣＤカメラ１１により形成され、かつ、固定調整部８を備えた玉形自在継手で形成される角度調整部７が形成され、前面には単数及び複数個の照明用ＬＥＤ１０と、紫外線フィルタ９が貼付されたＣＣＤカメラ１１とにより形成したことにより、例えば、歯科医が病変部を有する歯を削るような場合や歯科技工士のアーク溶接を行うような作業時には、火花及び歯屑の跳ね返りに対してディスプレイが保護壁の役割を果たすことに成功した。
【００３４】
また、前述の通り、歯科業においては、歯という微小で細かな作業を要することもあり、そのものをブレなく安定し、かつ、より拡大し撮像する必要がある。角度調整可能な状態で拡大撮像することで、例えば、歯科医や歯科技工士の作業が行いやすくすることを可能とし、かつ、アーク光を直視することなく、クリアな映像を見ながら明るい視野内で作業可能とする。そして、ブレなく安定した撮像も可能とする。
【図面の簡単な説明】
【００３５】
【図１】本考案の歯科用表示装置を示す斜視図である。
【図２】本考案の歯科用表示装置を示す背面図である。
【図３】本考案の他の実施例示す斜視図である。
【図４】本考案の撮像部を示す要部斜視図である。
【図５】本考案の歯科用表示装置の使用状態を示す図である。
【図６】本考案の歯科用表示装置の他の実施例の使用状態を示す図である。
【図７】本考案の歯科用表示装置の他の実施例の使用状態を示す図である。
【考案を実施するための形態】
【００３６】
本考案である歯科用表示装置は、術者等の前に位置するディスプレイ１と、このディスプレイ１に角度調整自在に連結してなり歯及び義歯等の被写体１２を撮像する撮像部２と、これらに連結する位置調整自在な支持腕部３が形成されることで当初の目的を達成する。
【実施例】
【００３７】
次に、図面に基づいて本考案の実施例を詳細に説明する。本考案歯科用表示装置は、術者等の前に位置するディスプレイ１と、ディスプレイ１に角度調整自在に連結する歯及び義歯等の被写体１２を撮像する撮像部２とにより構成する（図１参照）。
【００３８】
ディスプレイ１の前には、例えば歯科医や歯科技工士がおり、撮像部２で歯や義歯等の被写体１２を拡大撮像し、これをディスプレイ１に映写する。そして、これを見ながら歯科医や歯科技工士が作業を行う。通常、ディスプレイ１は、作業テーブルの上又は歯科医にあっては作業棚等に置く（図５乃至図７参照）。
【００３９】
また、ディスプレイ１と撮像部２は、角度調整自在に連結しており、例えば、歯科医の病変部の治療時等においては、見えにくい奥歯を撮像する場合等に作業における適度な角度に応じて撮像を可能にする。
【００４０】
尚、このディスプレイ１のサイズ、画像の質、画像の色、指示スイッチの有無及びその数等は特に限定されるものではなく、自由に変更できるものである。
【００４１】
加えて、ディスプレイ１と撮像部２の結合位置、結合方法等は特に限定されるものではなく、自由に変更できるものである。
【００４２】
そして、ディスプレイ１と撮像部２には、これら双方又は一方に位置調整を可能にする支持腕部３が形成される。これにより例えば、被写体１２の移動を要せずに術者等の作業時に都合のよい位置での拡大撮像及び作業を可能とする（図１乃至図３参照）。
【００４３】
また、支持腕部３は、固定支持部４と、アーム部５と、コネクト部６とが連結されて構成される。固定支持部４は、支持腕部３を固定する役割を果たす部分であり、作業台等に直接着脱自在に装着できるものがよい。例えば固定支持部４としてクランプを備えるものであってもよい（図１参照）。
【００４４】
図１では、支持腕部３が、固定支持部４と、アーム部５と、コネクト部６とが連結されて構成されるものを図示している。ここで、支持腕部３を構成するアーム部５は、固定支持部４と連結して形成されディスプレイ１及び撮像部２を位置調整自在に動かす役割を果たす部分である。そして、コネクト部６は、アーム部５と連結して形成されディスプレイ１と撮像部２の双方若しくは一方と連結する。
【００４５】
図３の支持腕部３は、金属製のフレキシブル管を使用したもので、支持腕部３自体が屈曲自在、かつ、フレキシブルに動作可能なように形成されている。これにより、支持腕部３と連結する撮像部２は、被写体１２に対して位置調整自在に動作することを可能とする。そのため作業時に見やすい位置での作業を可能とする。
【００４６】
尚、支持腕部３は、前後左右上下いずれの位置調整及び角度調整等は特に限定されるものではなく、自由に変更できるものである。
【００４７】
また、この固定支持部４、アーム部５、コネクト部６により構成される支持腕部３の各々の長さ、形状、材質、設置角度、設置位置、連結位置、連結方法は特に限定されるものではなく、自由に変更できるものである。これは、図３で図示される支持腕部３の場合も同様である。
【００４８】
また、前記の通りディスプレイ１と撮像部２は、双方又は一方に角度調整部７が形成されるが、図示の角度調整部７は、玉形自在継手で形成される（図１、図２参照）。図１に示す角度調整部７は、撮像部２の連結部に装着されており、撮像部２の角度を調整するものである。一方、図２に示す角度調整部７は、ディスプレイ１とコネクト部６とにそれぞれ装着され、ディスプレイ１の向きを細かく調整できるようにしている。これにより、例えばディスプレイ１と撮像部２が角度調整可能となり、術者等の作業時に作業しやすい場所での撮像を可能とする。
【００４９】
尚、玉形自在継手の設置個数や位置、材質等は特に限定されるものではなく自由に変更できるものであるが、ディスプレイ１の角度調整部７は、複数個の玉形自在継手を設置するのでもよい。これは、作業者の身長や作業位置等作業環境によってディスプレイ１の視認角度が変動することが予想されるためである。
【００５０】
加えて、例えば、歯科医の治療時の場合には、ディスプレイ１を患者のほうへ向け、患者の歯を実際に自己で確認させることも可能とするものであってもよい。これは、例えば、治療の前に歯の治療位置を患者に実際に見せて把握させるいわゆるインフォームドコンセントに役立てることを可能とする。
【００５１】
固定調整部８は、角度調整部７の角度位置を固定するために設けられたものであり、図示例では、玉形自在継手の内部に突出して継手の回動を規制するものである。例えば、撮像部２は固定されブレなく安定した撮像をとすることができる。
【００５２】
尚、この固定調整部８は、ディスプレイ１及び撮像部２の角度調整部３の双方に形成されていてもよいし、どちらか一方に形成されていてもよい。
【００５３】
そして、この固定調整部８の大きさ、固定方法、設置位置、材質等は、特に限定されるものではなく、自由に変更できるものである。
【００５４】
そして、撮像部２の前面には紫外線フィルタ９が形成されており、これにより、例えば、歯科技工士が技工作業を行う場合に使用するアーク溶接時にチラつき防止効果があり眼へのダメージなく作業を行うことを可能とする（図４参照）。
【００５５】
尚、この紫外線フィルタ９の大きさ、形状、材質は特に限定されるものではなく、自由に変更できるものであるが、例えば、紫外線フィルタ９は厚さ２ｍｍの耐候ポリカーボネイトであってもよい。
【００５６】
撮像部２の前面に単数及び複数個の照明用ＬＥＤ１０を形成する。これは、被写体１２をより明るい状態に映す目的で形成され、作業時などには被写体１２を照射する。これにより作業時に明るい視野を創造可能とする。（図４参照）
【００５７】
そして、複数個の照明用ＬＥＤ１０を形成した場合には、作業位置、作業内容や部屋の明るさ等に応じて、その全部及び一部のみを点灯させる。これにより作業において要求される状況に応じて照明用ＬＥＤ１０の照度を調整することを可能とする。
【００５８】
尚、この照明用ＬＥＤ１０の数、配置、照度、色等は、特に限定されるものではなく、自由に変更できるものであるが、前述の耐候ポリカーボネイトを採用する場合に、紫外線フィルタ９の色が暗くなり使用時に被写体１２が暗くなるような場合には、白色の照明用ＬＥＤ１０を設置してもよい。
【００５９】
そして、歯科用表示装置は、術者等の前に位置する液晶ディスプレイ１と、該液晶ディスプレイ１に角度調整自在に連結される撮像部２と、前記ディスプレイ１と前記撮像部２の双方又は一方に連結してなる位置調整自在な支持腕部３とにより構成され、該支持腕部３は、固定支持部４と該固定支持部４に連結してなるアーム部５と該アーム部５に連結してなるコネクト部６とにより構成され、前記撮像部２は、歯及び義歯等の被写体１２を拡大撮像すべくＣＣＤカメラ１１により形成され、かつ、固定調整部８を備えた玉形自在継手で形成される角度調整部７が形成され、前面には単数及び複数個の照明用ＬＥＤ１０と、紫外線フィルタ９が貼付されたＣＣＤカメラ１１とにより形成する。
【００６０】
前述の通り、歯科業においては、歯という微小で細かな作業を要することもあり、そのものをより拡大して撮像する必要がある。拡大撮像することで、例えば、歯科医や歯科技工士の作業が行いやすくすることを可能とする。
【００６１】
また、このＣＣＤカメラ８の大きさ、設置位置、画素数、被写体１２へのズームの度合い等は、特に限定されるものではなく、自由に変更できるものである。
【００６２】
尚、本考案は図示例に限定されるものではなく、各部の形状、材質等は、本考案の要旨を変更しない範囲において自由に変更できるものである。
【産業上の利用可能性】
【００６３】
歯科用表示装置は、前述のような歯科医の治療及び歯科技工士の作業で利用可能である。それ以外に、歯や口腔内の診断にも利用可能である。
【符号の説明】
【００６４】
１  ディスプレイ
２  撮像部
３  支持腕部
４  固定支持部
５  アーム部
６  コネクト部
７  角度調整部
８  固定調整部
９  紫外線フィルタ
１０  照明用ＬＥＤ
１１  ＣＣＤカメラ
１２  被写体
【図１】
0003152427.tif 000003
【図２】
0003152427.tif 000004
【図３】
0003152427.tif 000005
【図４】
0003152427.tif 000006
【図５】
0003152427.tif 000007
【図６】
0003152427.tif 000008
【図７】
0003152427.tif 000009